(57)【要約】【課題】  ダイナミックダンパーにおけるマス部材を取り付けたゴム弾性体を所定の初期状態にするに際し、ゴム弾性体を保持する保持金具を所定に成形するのであるが、このとき、保持金具に寸法変化等が起きないようにする。【解決手段】  アウター金具の中にマス部材を取り付けたインナー金具をゴム弾性体を介して宙吊り状態に保持したダイナミックダンパーにおいて、インナー金具をＵ字形のものにして底壁に凹凸を形成するとともに、この底壁の凹凸を上から押圧してインナー金具を所定に外方へ張出させ、ゴム弾性体を所要の圧縮状態にしてインナー金具にマス部材を取り付けたことを特徴とするダイナミックダンパー。【選択図】  図１
2006258223.tif 000002
【特許請求の範囲】
【請求項１】
アウター金具の中にマス部材を取り付けたインナー金具をゴム弾性体を介して宙吊り状態に保持したダイナミックダンパーにおいて、インナー金具をＵ字形のものにして底壁に凹凸を形成するとともに、この底壁の凹凸を上から押圧してインナー金具を所定に外方へ張出させ、ゴム弾性体を所要の圧縮状態にしてインナー金具にマス部材を取り付けたことを特徴とするダイナミックダンパー。
【請求項２】
アウター金具の中にマス部材を取り付けたインナー金具をゴム弾性体を介して宙吊り状態に保持したダイナミックダンパーにおいて、インナー金具を側壁が内側に折り曲げられたＵ字形のものにするとともに、この側壁を外側へ押し曲げてインナー金具を所定に外方へ張出させ、ゴム弾性体を所要の圧縮状態にしてインナー金具にマス部材を取り付けたことを特徴とするダイナミックダンパー。
【請求項３】
インナー金具の上端を内側に巻き曲げしてマス部材を上から押えた請求項１又は２のダイナミックダンパー。
【請求項４】
インナー金具の底壁に突起を上向させ、この突起にマス部材を嵌合した請求項３のダイナミックダンパー。
【発明の詳細な説明】
【技術分野】
【０００１】
本発明は、防振、防音を目的として自動車に取り付けられるダイナミックダンパーに関するものである。
【背景技術】
【０００２】
自動車の足廻り等には、車輪等の振動が車体に伝達されるのを防止するためにダイナミックダンパーが取り付けられている。この種のダイナミックダンパーは、保持金具にマス部材をゴム弾性体を介して宙吊り状態で取り付けているものであるが、自動車に入力される振動の振動数は検証できることから、ゴム弾性体のばね特性とマス部材の質量特性とを調整してマス部材を振動振動数に共振させることで防振している。これにおいて、ゴム弾性体のばね特性を安定的に現出させるためには、ゴム弾性体をある程度圧縮させた初期状態に設定しておく必要がある。加えて、この圧縮の程度によってばね定数は変わってくるから、所望のばね定数を得るためにも、圧縮の程度は調整できる必要がある。
【０００３】
このため、種々の方法で圧縮を図っており、下記特許文献１では、マス部材に連着するゴム弾性体をボルトナットで締め付けて圧縮するものが示されている。これによると、一々ボルトを締めなけれはならず、手間が大変で、量産品には向かない。一方、特許文献２では、マス部材と保持金具との間にゴム弾性体を加硫接着しておき、この保持金具を外方から絞ることで、ゴム弾性体に所定の圧縮状態を出現させるものが示されている。しかし、これによると、保持金具には取付孔等も形成されているから、これを変形させると、その位置が狂ったりするし、取付面の平面度も狂うことがある。また、マス部材を取り付けた保持金具を絞らなければならないから、取扱いが重いという欠点もある。
【特許文献１】特開２００１−２３４９７０号公報
【特許文献２】特開２００３−０９７６３５号公報
【発明の開示】
【発明が解決しようとする課題】
【０００４】
本発明は、このような課題を解決したものであり、要するに、内部にマス部材を取り付ける金具を振動体に取り付ける保持部材とは別のものにするとともに、この金具を外方に張ることでゴム弾性体を所定に圧縮するようにし、保持金具そのものには細工が必要ないようにしたものである。
【課題を解決するための手段】
【０００５】
以上の課題の下、本発明は、請求項１に記載した、アウター金具の中にマス部材を取り付けたインナー金具をゴム弾性体を介して宙吊り状態に保持したダイナミックダンパーにおいて、インナー金具をＵ字形のものにして底壁に凹凸を形成するとともに、この底壁の凹凸を上から押圧してインナー金具を所定に外方へ張出させ、ゴム弾性体を所要の圧縮状態にしてインナー金具にマス部材を取り付けたことを特徴とするダイナミックダンパーを提供したものである。
【０００６】
また、本発明は、請求項２に記載した、アウター金具の中にマス部材を取り付けたインナー金具をゴム弾性体を介して宙吊り状態に保持したダイナミックダンパーにおいて、インナー金具を側壁が内側に折り曲げられたＵ字形のものにするとともに、この側壁を外側へ押し曲げてインナー金具を所定に外方へ張出させ、ゴム弾性体を所要の圧縮状態にしてインナー金具にマス部材を取り付けたことを特徴とするダイナミックダンパーを提供したものである。
【０００７】
そして、本発明は、以上のダイナミックダンパーにおいて、請求項３に記載した、インナー金具の上端を内側に巻き曲げしてマス部材を上から押えた手段、請求項４に記載した、インナー金具の底壁に突起を上向させ、この突起にマス部材を嵌合した手段を提供したものである。
【発明の効果】
【０００８】
請求項１の手段によると、インナー金具の底壁の凹凸を押圧すれば、底壁は延びて側壁が外方に張り出すから、ゴム弾性体は所要に圧縮されるものとなる。もちろん、この張出量を調整することで、ばね定数を調整できる。この処理のとき、マス部材は未だインナー金具に取り付けられていないのであるから、操作、処理が容易である。請求項２の手段によっても同様であり、操作、処理が容易である。さらに、請求項３及び４の手段によれば、インナー金具へのマス部材の取付けが容易であるし（溶接等は不要である）、取り付け後も、位置ずれ等は生じないのであるから、保持が確実になる。
【発明を実施するための最良の形態】
【０００９】
以下、本発明の実施の形態を図面を参照して説明する。図１は本発明の第一に係るダイナミックダンパーの製造過程を示す一部断面側面図、図３は完成後の一部断面平面図であるが、このダイナミックダンパーは、アウター金具１とインナー金具２及びマス部材３等からなる。このうち、アウター金具１は、振動体に取り付けられてインナー金具２やマス部材３を受けるものであり、本例では、側面視で、底壁４と側壁５及び側壁の上端に鍔６が設けられるＵ字形をしたものである（７は鍔に設けられた取付孔）。なお、アウター金具１のこの形状は、塑性加工によって行われる。
【００１０】
インナー金具２は、マス部材３を保持してアウター金具１に対してゴム弾性体８を介して宙吊り状態で保持されるものであり、本例では側面視で、底壁９と側壁１０とからなるＵ字形をしている。この場合、一般的には、インナー金具２の肉厚は、アウター金具１のそれよりは薄くなっているが、両者とも、その平面形状は様々になっている。加えて、本例のインナー金具２は、その底壁９が凹凸１１に形成されており、かつ、底壁９の中心には円形の突起１２が形成されている。なお、これら凹凸１１や突起１２の形成は、すべて塑性加工によって行われる。
【００１１】
以上のインナー金具２の側壁１０の外面とアウター金具１の側壁５の内面には、ゴム弾性体８が加硫接着され、インナー金具２は、アウター金具１の中にこのゴム弾性体８を介して宙吊り状態で収容される。そして、インナー金具２にマス部材３が取り付けられてこのマス部材３が振動することで、アウター金具１が取り付けられる振動体からの振動を防振するのである。本発明では、アウター金具１にインナー金具２を取り付けた後に次の操作を施す。図２はその状態を示す断面側面図であるが、インナー金具２の底壁９の下に下敷１３を敷き、上から金型１４で押圧する。これにより、底壁９の凹凸１１はひしゃがれて側壁１０は外方にＲだけ張出する。
【００１２】
したがって、ゴム弾性体８は、この張出量Ｒで圧縮され、そのばね特性を安定して出現させるものとなる。一般に、ゴム弾性体８を加硫接着しただけでは、安定したばね特性は得られないから、これを改善したものである。なお、金型１４の落下量を調整すれば、凹凸１１のひしゃげ量（張出量Ｒ）、すなわち、ゴム弾性体８の圧縮程度も調整できることから、これによってばね定数も調整できるものとなる。
【００１３】
以上の処置が終了すると、マス部材３をインナー金具２の底壁９の上に載せて取り付けるが、このとき、マス部材３には、インナー金具２の底壁９に形成された突起１２に嵌合する孔１５を形成しておき、この孔１５を突起１２に嵌合するようにすれば、位置決めとずれ止めが図られる。さらに、インナー金具２の側壁１０の上端を金型（図示省略）で下方に押圧し、この部分が内側に巻き曲げられてカール１６を形成するようにする。したがって、マス部材３の寸法誤差に対してはカール１６の径が大きくなったり、小さくなったりしてマス部材３を上から押え付けることになり、マス部材３がインナー金具２から外れたりするのを防止できる。これにより、インナー金具２へのマス部材３の取付けが簡単になり、煩雑な溶接やボルト止め等を要しないものとなる。
【００１４】
図４は本発明の第二に係るダイナミックダンパーの製造過程を示す一部断面側面図であるが、本発明が第一の発明と違う点は、インナー金具２の側壁１０を予め内側に折り曲げた状態でゴム弾性体８を加硫接着する点である。そして、この側壁１０を外側へ押し曲げてゴム弾性体８を所要の圧縮状態にし、その後にマス部材３を保持するのである。なお、上記した凹凸１１と組み合わせたものでもよい。
【００１５】
図５は側壁１０の外方への押し曲げの原理を示す一部断面側面図であるが、外面が直立して内面が上方に広がる斜面に形成された拡げ体１７を二組インナー金具２の中に挿入しておき、拡げ体１７の中に上からくさび１８を挿入すことで拡げ体１７を外方に移動させて側壁９を外方に押し曲げて起こすものである。これにより、インナー金具２の側壁９はＳだけ外方に張出され、その結果、ゴム弾性体８は張出量Ｓで圧縮される。なお、マス部材３の取付け等については、第一の発明と同じである。
【００１６】
以上、本発明について説明したが、その作用効果について再度説明すると、次のようになる。
１．ゴム弾性体の圧縮程度を任意に調整できるから、ばね定数の調整が容易である。
２．マス部材の取付けが容易であるから、重量の違うマス部材への変更が簡単である。
３．マス部材の取付けは、機械的な構成によるものであるから、少々の寸法誤差は吸収できるし、この結果、接当側端面は鋳放しでよい。
４．ゴム弾性体を加硫接着する段階では、未だマス部材が取り付けられていないのであるから、重量が軽くて取扱いが容易である。
５．アウター及びインナー金具の種々の成形及びマス部材の保持といった加工は、すべて塑性加工によるものであるから（機械加工を必要としない）、生産性が良くて作業環境が向上する。
【図面の簡単な説明】
【００１７】
【図１】第一発明のダイナミックダンパーの製造過程を示す一部断面側面図である。
【図２】第一発明の成形方法を示す断面側面図である。
【図３】第一発明のダイナミックダンパーの一部断面平面図である。
【図４】第二発明のダイナミックダンパーの製造過程を示す一部断面側面図である。
【図５】第二発明の成形方法を示す断面側面図である。
【符号の説明】
【００１８】
１    アウター金具
２    インナー金具
３    マス部材
４    アウター金具の底壁
５    〃の側壁
６    鍔
７    取付孔
８    ゴム弾性体
９    インナー金具の底壁
１０  〃の側壁
１１  凹凸
１２  突起
１３  下敷
１４  重し
１５  孔
１６  カール
１７  拡げ体
１８  くさび
Ｒ    張出量
Ｓ    張出量
【図１】
2006258223.tif 000003
【図２】
2006258223.tif 000004
【図３】
2006258223.tif 000005
【図４】
2006258223.tif 000006
【図５】
2006258223.tif 000007